(57)【特許請求の範囲】
【請求項１】
肛門から直腸内に挿入される筒体の先端に拡縮できる保護体を設け、同保護体内の空間に腸内物を破砕・撹拌又は掻き込む破砕回転体を装置し、筒体内部の腸内物を負圧で吸引して腸内物を回収する吸引装置を筒体基端に接続し、破砕回転体の上方の保護体の内側部分に中央に向けて突出した廻り止め防止突起を設け、しかも同廻り止め防止突起を筒体の長手方向に対し斜めとなるように設け、腸内物の回転を抑えて確実に破砕するようにしたことを特徴とする排便装置。
【請求項２】
筒体の先端部よりやや下方位置に膨縮自在な環状バルーンを設けた請求項１記載の排便装置。
【発明の詳細な説明】
【０００１】
【発明の属する技術分野】
本発明は、肛門から挿入され、腸内の排泄されない便を強制的に破砕・分断・撹拌・掻き込み（以下単に破砕という）して強制排出するための装置である。特に寝たきりの老人・患者、自己排便力のない者にとって有用な装置である。
【０００２】
【従来の技術】
従来、宿便等で腸内で滞留して排便できない便は、医師・看護人が肛門から指を挿入して掻き出していた。これでは手間のかかるものであった。
本発明者は、これを解消する装置として、肛門から挿入される筒体の先端に腸壁保護用の花弁状の保護体を拡縮自在にし、その内部に便を破砕する破砕回転体を回転自在に装置した排便装置を開発した。これによって腸内の便を破砕し、筒体に接続した吸引装置で吸引して便を強制排出させることができるようにした。
この排便装置では、便が破砕回転体の回転とともに回転し、効果的に便を破砕できない場合があった。
【０００３】
【発明が解決しようとする課題】
本発明が解決しようとする課題は、従来のこれらの問題を解消し、腸壁を傷つけずに器具によって容易且つ確実に腸内の便を破砕できるようにした排便装置を提供することにある。
【０００４】
【課題を解決するための手段】
かかる課題を解決した本発明の構成は、
１）  肛門から直腸内に挿入される筒体の先端に拡縮できる保護体を設け、同保護体内の空間に腸内物を破砕・撹拌又は掻き込む破砕回転体を装置し、筒体内部の腸内物を負圧で吸引して腸内物を回収する吸引装置を筒体基端に接続し、破砕回転体の上方の保護体の内側部分に中央に向けて突出した廻り止め防止突起を設け、しかも同廻り止め防止突起を筒体の長手方向に対し斜めとなるように設け、腸内物の回転を抑えて確実に破砕するようにしたことを特徴とする排便装置
２）  筒体の先端部よりやや下方位置に膨縮自在な環状バルーンを設けた前記１）記載の排便装置
にある。
【０００５】
【発明の実施の形態】
本発明の筒体は、シリコンゴム・ゴム質で製作することを普通とし、内部を中空にし、先端の外周部分に腸内物の肛門からの流下防止と筒体固定の為にバルーン、又は鍔を設けることが好ましい。
本発明の保護体としては、複数枚の花弁状の硬質小片を膜状のものを連結して形成し、ワイヤ・空気圧・その他の機械でこれを拡縮させる構造、折り畳んだものを傘状に開閉する構造、空気圧でコーン状に外方へ拡がる袋体構造等がある。
本発明の破砕回転体は、回転ベースにピン状・三角形状・掻き込み易い椀状・撹拌棒状の破砕片・刃を設けるもの、又は回転軸に破砕片・刃片を直接取付ける構造のものがある。又その回動方法は、筒体の基端のモータで回動する方法、又は先端部に小型モータを取付けて駆動する方法・手動の操作力を機構で伝達する方法等がある。
又、廻り止め防止突起を斜めに設けると破砕回転体の回転により、便の取り込み力を高めたり、又は過負荷で破砕回転体の回転が停止したとき、逆回転させると便を持ち上げるようにできる。
【０００６】
【実施例】
【０００７】
以下、本発明の実施例を図面に基いて説明する。
【０００８】
：実施例（図１〜３参照）
図１は、実施例の縦断面図である。
図２は、実施例の平面図である。
図３は、実施例の保護体の拡巾状態を示す説明図である。
図１〜３に示す実施例は、筒状体４０の内側に嵌合した長いスライド筒４１で行うようにし、筒状体４０の上端に別体として製造された花弁片４２ａを６個放射状に取付けて保護体４２となし、花弁片４２ａ間にはフィルムを取付けていない。同花弁片４０ａは閉じた状態では互に中心に寄り合って保護体４０は閉じた状態では先細り状になるようになっていて、又花弁片４０ａの内側に内側に突出するように肉厚４０ｂを厚くし、その内側の下部を斜面４０ｃとしている。スライド筒４１と、回転軸４３・モータ４６とは筒状体に対して一緒に進退するようになっている。４６ｂは駆動部のケースでモータ４６と電池４６ｄと５Ｗ４６ｃとを取付け、スライド筒４１と脱着自在に嵌着している。スライド筒４１の基端にストッパリング４１ａが取付けられ、先端の破砕板４５が保護体４２から飛び出さない安全な位置までに制限している。
又、保護体４２の花弁片４２ａの内面に廻り止め防止突起１０を突設している。この実施例の廻り止め突起１０は、上下方向に斜めに設けられている。
図中、４１ｂはスライド筒４１の先端に取付けた回転軸４３の軸支ステー、４１ｃは腸内物・湯の注排用孔、４１ｄはスライド筒４１の基底壁、４６はモータ、４６ａは回転軸４３とのモータ４２の出力軸との脱着自在なカップリング、４７は注入排出口、４８は筒状体の注入排出口の移動を許容する切欠、４９はデンプン質の水溶性キャップである。
この実施例では、スライド筒４１を筒状体４０に対して先端方向に押し込めば、スライド筒４１の先端が花弁片４０ａの斜面４０ｃと接触して、花弁片４２ａは外方へ押し拡げられて保護体４０を開くものである。破砕板４５によって破砕された腸内物はスライド筒４１内を通って注入排出口４７を介して外部へ排出される。湯の注入・排出手段は第２実施例と同様である。
又、保護体４２の内側の廻り止め防止突起１０で便の回転を止めて確実に破砕できるようにしている。特にこの廻り止め突起１０は上下方向に斜めになるように設けられているので、破砕板４５（回転破砕体）の一方の回転で、便の回転を抑えるとともに、筒状体４０の方向へ移動させて便の取り込みを推進する。破砕板４５（回転破砕体）を逆方向に回転させると便の為に破砕板４５が回転できなくなったとき、便を上方に押し戻し、回転できるようにできる。
【０００９】
【発明の効果】
以上の様に、本発明によれば回転する破砕回転体によって保護体内の便が回転するのを保護体内の廻り止め防止突起と接触させて便の回転を止めることで破砕回転体による破砕を確実にして排便効果を高めることができる。
又廻り止め防止突起を斜めにしているので回転方向で便の移動方向・廻り止め防止力を変えることができる。
【図面の簡単な説明】
【図１】実施例の縦断面図である。
【図２】実施例の平面図である。
【図３】実施例の保護体の拡巾状態を示す説明図である。
【符号の説明】
１０  廻り止め防止突起
３３  バルーン
３３ａ  空気注入チューブ
３４  圧送ポンプ
３５  チューブ
３６  排泄物収納容器
３７  湯容器
３８，３９  逆止弁
４０  筒状体
４１  スライド筒
４１ａ  ストッパリング
４１ｂ  軸支ステー
４１ｃ  孔
４１ｄ  基底壁
４２  保護体
４２ａ  花弁片
４２ｂ  肉厚
４２ｃ  斜面
４３  回転軸
４４  欠番
４５  破砕板
４６  モータ
４６ａ  カップリング
４７  注入排出口
４８  切欠
４９  キャップ
【図１】
0003560865.tif 000002
【図２】
0003560865.tif 000003
【図３】
0003560865.tif 000004